(57)【特許請求の範囲】
【請求項１】
ペットの腹付近に位置する腹側部と尻付近に位置する尻側部とを有するおむつ本体と、
前記腹側部の幅方向の両側端部から突出する左右一対のテープ部と、
前記尻側部の外面に設けられ、前記テープ部を着脱自在に係止可能なターゲット部と、を備え、
前記おむつ本体にペットの尻尾を通す尻尾穴が設けられたペット用紙おむつであって、
前記おむつ本体における前記尻尾穴の近傍に、前記尻尾穴を閉じるように前記おむつ本体を収縮させる弾性部材を備え、
前記弾性部材は、前記尻尾穴を挟む配置に少なくとも一対設けられており、前記一対の弾性部材は、互いに前記尻尾穴側に向かって前記おむつ本体を収縮させることを特徴とするペット用紙おむつ。
【請求項２】
前記尻尾穴は、前記おむつ本体の短手方向に沿ったスリット状の開口形状を呈し、
前記弾性部材は、前記おむつ本体の短手方向に延在し、その短手方向と交差する方向に揺動する波形状を呈して設けられていることを特徴とする請求項１に記載のペット用紙おむつ。
【請求項３】
前記尻尾穴は、前記おむつ本体の長手方向に沿ったスリット状の開口形状を呈し、
前記弾性部材は、前記おむつ本体の長手方向に延在し、その長手方向と交差する方向に揺動する波形状を呈して設けられていることを特徴とする請求項１に記載のペット用紙おむつ。
【請求項４】
前記弾性部材は、前記尻尾穴を挟む配置に複数の対を成して設けられ、各弾性部材対は前記尻尾穴からそれぞれ異なる距離に設けられており、
その弾性部材間の距離は、前記尻尾穴から離間するほど狭い間隔に設けられていることを特徴とする請求項１〜３の何れか一項に記載のペット用紙おむつ。
【請求項５】
前記弾性部材は、前記尻尾穴を挟む配置に複数の対を成して設けられ、各弾性部材対は前記尻尾穴からそれぞれ異なる距離に設けられており、
その弾性部材は、前記尻尾穴から離間するものほど太いことを特徴とする請求項１〜４の何れか一項に記載のペット用紙おむつ。
【請求項６】
前記弾性部材は、前記尻尾穴を挟む配置に複数の対を成して設けられ、各弾性部材対は前記尻尾穴からそれぞれ異なる距離に設けられており、
その弾性部材は、前記尻尾穴から離間するものほど収縮力が弱いことを特徴とする請求項１〜５の何れか一項に記載のペット用紙おむつ。
【請求項７】
前記尻尾穴と、その尻尾穴の周縁に設けられた前記弾性部材を挟む配置に、一対の立体形状部が設けられていることを特徴とする請求項１〜６の何れか一項に記載のペット用紙おむつ。
【発明の詳細な説明】
【技術分野】
【０００１】
本発明は、ペット用紙おむつに関する。
【背景技術】
【０００２】
従来、犬や猫など、尻尾を有するペットに対して使用するペット用紙おむつが知られている。
ペット用紙おむつには、尻尾を通すための穴が設けられている。
しかしながら、尻尾の太さは、ペットの種類や個体差によって異なるので、尻尾に比べて穴が大きすぎるとペットの体位が変わった際に隙間ができて漏れが発生する可能性があり、また、尻尾に比べて穴が小さすぎると装着させにくいという問題があった。
【０００３】
これに対して、例えば、特許文献１には、ペットの尻尾を通すための開口部の周縁やその近傍にテープ支持帯を設け、開口部が尻尾よりも大きい場合に、テープ支持帯を締めるようにして開口部を尻尾にフィットさせて、隙間からの漏れを防止するペット用おむつが開示されている。
また、特許文献２には、ペットの尻尾を通すための開口部をふさぐシート状物を設け、そのシート状物にスリットを形成することで、様々な尻尾に柔軟に対応可能としたペット用おむつが開示されている。
【先行技術文献】
【特許文献】
【０００４】
【特許文献１】特開平７−２３６３８０号公報
【特許文献２】特許第３７７３６２２号公報
【発明の概要】
【発明が解決しようとする課題】
【０００５】
しかしながら、特許文献１記載のペット用おむつは、開口部に尻尾を挿入した後、テープ支持帯を締め付ける必要があり、装着作業が面倒なものであった。
また、特許文献２記載のペット用おむつは、尻尾が細すぎる場合には、尻尾がスリットをすり抜けてしまう可能性があった。
【０００６】
本発明の目的は、装着しやすく、様々な尻尾の太さに対応できるペット用紙おむつを提供することである。
【課題を解決するための手段】
【０００７】
以上の課題を解決するため、請求項１に記載の発明は、
ペットの腹付近に位置する腹側部と尻付近に位置する尻側部とを有するおむつ本体と、
前記腹側部の幅方向の両側端部から突出する左右一対のテープ部と、
前記尻側部の外面に設けられ、前記テープ部を着脱自在に係止可能なターゲット部と、を備え、
前記おむつ本体にペットの尻尾を通す尻尾穴が設けられたペット用紙おむつであって、
前記おむつ本体における前記尻尾穴の近傍に、前記尻尾穴を閉じるように前記おむつ本体を収縮させる弾性部材を備え、
前記弾性部材は、前記尻尾穴を挟む配置に少なくとも一対設けられており、前記一対の弾性部材は、互いに前記尻尾穴側に向かって前記おむつ本体を収縮させることを特徴とする。
【００１０】
請求項２に記載の発明は、請求項１に記載のペット用紙おむつにおいて、
前記尻尾穴は、前記おむつ本体の短手方向に沿ったスリット状の開口形状を呈し、
前記弾性部材は、前記おむつ本体の短手方向に延在し、その短手方向と交差する方向に揺動する波形状を呈して設けられていることを特徴とする。
【００１１】
請求項３に記載の発明は、請求項１に記載のペット用紙おむつにおいて、
前記尻尾穴は、前記おむつ本体の長手方向に沿ったスリット状の開口形状を呈し、
前記弾性部材は、前記おむつ本体の長手方向に延在し、その長手方向と交差する方向に揺動する波形状を呈して設けられていることを特徴とする。
【００１２】
請求項４に記載の発明は、請求項１〜３の何れか一項に記載のペット用紙おむつにおいて、
前記弾性部材は、前記尻尾穴を挟む配置に複数の対を成して設けられ、各弾性部材対は前記尻尾穴からそれぞれ異なる距離に設けられており、
その弾性部材間の距離は、前記尻尾穴から離間するほど狭い間隔に設けられていることを特徴とする。
【００１３】
請求項５に記載の発明は、請求項１〜４の何れか一項に記載のペット用紙おむつにおいて、
前記弾性部材は、前記尻尾穴を挟む配置に複数の対を成して設けられ、各弾性部材対は前記尻尾穴からそれぞれ異なる距離に設けられており、
その弾性部材は、前記尻尾穴から離間するものほど太いことを特徴とする。
【００１４】
請求項６に記載の発明は、請求項１〜５の何れか一項に記載のペット用紙おむつにおいて、
前記弾性部材は、前記尻尾穴を挟む配置に複数の対を成して設けられ、各弾性部材対は前記尻尾穴からそれぞれ異なる距離に設けられており、
その弾性部材は、前記尻尾穴から離間するものほど収縮力が弱いことを特徴とする。
【００１５】
請求項７に記載の発明は、請求項１〜６の何れか一項に記載のペット用紙おむつにおいて、
前記尻尾穴と、その尻尾穴の周縁に設けられた前記弾性部材を挟む配置に、一対の立体形状部が設けられていることを特徴とする。
【発明の効果】
【００１６】
本発明によれば、ペット用紙おむつは、おむつ本体に設けられた尻尾穴の近傍に、尻尾穴を閉じるようにおむつ本体を収縮させる弾性部材を備えているので、尻尾穴に尻尾を通して、ペット用紙おむつをペットに装着することで、尻尾の太さに応じて尻尾穴のサイズ調整などを行うことなく、尻尾穴に通した尻尾を締め付け過ぎず、好適に尻尾穴の開口を尻尾にフィットさせるように容易に装着することができる。
このように、本発明のペット用紙おむつは、装着しやすく、様々な尻尾の太さに対応できる紙おむつとして使用することができる。
【図面の簡単な説明】
【００１７】
【図１】本発明に係る紙おむつの外面側を示す平面図である。
【図２】図１の紙おむつの内面側を示す平面図である。
【図３】図２のIII−III線における断面図である。
【図４】図１の紙おむつの装着時の状態を示す斜視図である。
【図５】本発明の実施形態２における紙おむつの内面側を示す平面図である。
【図６】本発明の実施形態３における紙おむつの内面側を示す平面図である。
【図７】本発明の実施形態４における紙おむつの内面側を示す平面図である。
【図８】本発明の実施形態５における紙おむつの内面側を示す平面図である。
【図９】本発明の実施形態６における紙おむつの内面側を示す平面図である。
【図１０】本発明の実施形態７における紙おむつの内面側を示す平面図である。
【発明を実施するための形態】
【００１８】
以下に、図を参照しつつ、本発明の実施の形態を詳細に説明する。但し、発明の範囲は、図示例に限定されない。
【００１９】
本発明に係るペット用紙おむつ（以下、紙おむつ）は、例えば、室内で飼われる犬や猫等のペットに対して使用されるペット用の使い捨ておむつである。
なお、以下の説明では、紙おむつにおいて、長手方向の一端側を前側、他端側を後側とし、短手方向の一端側を左側、他端側を右側とし、前後方向及び左右方向の双方に直交する方向を上下方向とする。
【００２０】
（実施形態１）
紙おむつ１は、図１〜図３に示すように、紙おむつ１のおむつ本体である本体部１０と、本体部１０をペットの体に装着するためのテープ部２０、２０と、テープ部２０を係止させるためのターゲット部３０と、を備え、テープ部２０、２０をターゲット部３０に止着することで装着される止着式のペット用紙おむつである。
また、紙おむつ１には、ペットの尻尾を通す尻尾穴４０と、尻尾穴４０を閉じるようにおむつ本体１０を収縮させる尻尾穴収縮用の弾性部材５０と、が備えられている。
【００２１】
紙おむつ１は、図４に示すように、装着時にペットの体の腹から尻を覆う形状に形成されている。
具体的には、本体部１０の前端部がペットの腹付近に位置する腹側部１１を形成し、本体部１０の後端部がペットの尻付近に位置する尻側部１２を形成し、本体部１０の両側部がペットの後脚の脚周りに位置する脚周り部１３、１３を形成する。
本体部１０の腹側部１１寄りの両側部には、直線状に糸ゴム等の弾性部材１４がそれぞれ設けられ、この弾性部材１４により平面ギャザーが形成されており、腹側部１１がペットの腹から後脚の脚周りにかけて伸縮自在にフィットし、横漏れを防止するようになっている。
また、腹側部１１において脚周り部１３よりも両外側に延出した腹側延出部１１１、１１１と、尻側部１２において脚周り部１３よりも両外側に延出した尻側延出部１２１、１２１とは、紙おむつ１が装着された際に胴周り部１６を形成する。
なお、例えば、尻側部１２の胴周り方向に沿った縁部中央に、糸ゴム等の弾性部材（図示省略）を幅方向に沿って設け、この弾性部材により平面ギャザーを形成して、本体部１０をペットの胴周りにフィットするように伸縮自在な構成としてもよい。
【００２２】
本体部１０は、ペットの体との接触面側に設けられる透液性の不織布からなるトップシート１０ａと、装着時にペットの体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００２３】
トップシート１０ａは、紙おむつ１を装着した際にペットの体に接する面に設けられ、体液を受けて吸収体１０ｃまで輸送する役割を果たす透液性のシートである。
トップシート１０ａには、不織布が好適に用いられ、具体的には、例えば、ポリエチレンまたはポリプロピレン等のオレフィン系、ポリエステル系、ポリアミド系等の合成繊維や、レーヨンやキュプラ等の再生繊維、綿等の天然繊維を繊維素材として、スパンレース法、スパンボンド法、サーマルボンド法、メルトブローン法、ニードルパンチ法等の周知の加工法によって加工した不織布を用いることができる。
【００２４】
バックシート１０ｂは、紙おむつ１を装着した際にペットの体に接する面と反対側の面に設けられ、体液などが紙おむつ１の外部へ染み出すことや漏れ出すことを防ぐ役割を果たす不透液性のシートである。
バックシート１０ｂも、トップシート１０ａと同様に不織布が好適に用いられる。なお、バックシート１０ｂは、例えば、ポリエチレンやポリプロピレン等の少なくとも遮水性を有するシート材であって、ムレ防止の観点から透湿性を有するシート材であることが好ましい。
なお、トップシート１０ａ及びバックシート１０ｂの間に、ポリエチレンフィルムからなるシート材を挟むようにしてもよい。
【００２５】
吸収体１０ｃは、図３に示すように、例えば、綿やパルプ等の吸収性素材や、繊維或いはフィルム等のシート状基材と高吸水性樹脂（ＳＡＰ；Super Absorbent Polymer）とが組み合わされて形成された吸収体コアＳ１が、透液性のクレープ紙、不織布、孔開きシート等のシート材Ｓ２により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であってもよいし、複数層に分かれた構造でも構わない。
吸収体１０ｃは、少なくともペットの体の腹部を覆う位置に備えられている。具体的には、吸収体１０ｃは、本体部１０の前端部から尻尾穴４０の前まで、即ち、腹側部１１全体を覆うように備えられている。
【００２６】
ギャザーシート１０ｄ、１０ｄは、トップシート１０ａ側において、吸収体１０ｃの長手方向に沿った両側部に、腹側部１１から尻側部１２に亘ってそれぞれ備えられている。
このギャザーシート１０ｄ、１０ｄの幅方向外側の部分は、吸収体１０ｃの側方でトップシート１０ａの上面に固着されている。
また、このギャザーシート１０ｄ、１０ｄの幅方向内側の部分は、トップシート１０ａに固定されておらず、その長手方向に沿って配される糸ゴム等の弾性部材１５を挟んだ状態で折り返されて接着されている。ギャザーシート１０ｄにおいて弾性部材１５を挟んで折り返された幅方向内側の部分は立ち上がり、ペットの体型に合わせて伸縮自在に変形可能な立体ギャザーとして形成されている。
【００２７】
テープ部２０、２０は、腹側部１１の腹側延出部１１１、１１１の左右両側において、それぞれ外側に向かって突出して備えられている。
テープ部２０は、シート基材２１とファスニングテープ２２を備えて構成されている。
【００２８】
シート基材２１は、例えばポリエチレンやポリプロピレン等の各種のプラスチックフィルムを、所定の厚さに形成した基材シートであり、その基端部が紙おむつ１に接合されている。なお、シート基材２１の基端部は、トップシート１０ａやバックシート１０ｂの内面又は外面に貼り付けてもよいし、トップシート１０ａとバックシート１０ｂとの間に挟んで固定してもよい。
【００２９】
ファスニングテープ２２は、シート基材２１の内面（ターゲット部３０と対向する面）に設けられている。
ファスニングテープ２２の表面には、面ファスナのオス材の係止要素である、鉤状、きのこ状、錨状等の多数の突起が形成されたフック材が設けられており、ターゲット部３０の係止層３１（後述）と係合させるようになっている。なお、ファスニングテープ２２の裏面はシート基材２１に固着されている。
テープ部２０は、このファスニングテープ２２によって、ターゲット部３０に着脱自在に止着可能となっている。
【００３０】
ターゲット部３０は、尻側部１２における外面であるバックシート１０ｂ側に備えられている。
ターゲット部３０は、テープ部２０、２０のファスニングテープ２２を係止するためのメス材の係止要素である係止層３１を備えている。
係止層３１には、基材シートにループ状の繊維束が形成されてなるループ材が設けられている。このループ材は、ファスニングテープ２２の表面に形成されたフック材と機械的に係合する。すなわち、係止層３１のループ材の表面にファスニングテープ２２のフック材を重ね合わせ、フック材の多数の突起をループ材の表面に係合させることにより、テープ部２０とターゲット部３０の両部材を着脱可能な状態に、且つ、強固に固着させることができる。
【００３１】
なお、ファスニングテープ２２のフック材は、ループ材以外にも、織布、不織布、フェルト、パイル等の繊維束状の表面を有する素材にも係合させることが可能である。具体的には、フック材を係合させる素材として、例えば、ポリエチレン、ポリプロピレン、ポリエチレンテレフタレート、ナイロンなど、広く知られた汎用性の高い可塑性素材からなる単組成の素材若しくは複合組成の素材を用いることができる。なお、この場合、長繊維で構成されるスパンボンド不織布を用いることが好ましい。これは、短繊維であるポイントボンド不織布やエアスルー不織布では繊維長が短いため、フック材が抜けやすく係合強度が不足する問題があることに対し、スパンボンド不織布は、連続長繊維で構成されており、カット面からのほつれが少なく、毛羽立ちによる繊維の脱落が少ないので、スパンボンド不織布の方が力学的性能や生産性といった点で優れていることによる。
【００３２】
尻尾穴４０は、本体部１０において長手方向の中央よりもやや後ろ側であって、吸収体１０ｃの後ろ側となる位置に、本体部１０を貫通するように開設されている。
この尻尾穴４０は、紙おむつ１装着時にペットの尻尾を通すためのものである。
本実施形態１の紙おむつ１における尻尾穴４０は、本体部１０の短手方向（左右方向）に沿ったスリット形状の開口を有している。尻尾穴４０の大きさに特に限定はないが、本実施形態１の尻尾穴４０は、尻尾の出し入れが困難でない程度に十分な大きさに形成されている。
なお、この尻尾穴４０のスリットの長さ（開口の幅）は、本体部１０の短手方向の長さ（幅）に対する３割程度（例えば２．５〜３．５割）であることが好ましく、より好ましくは吸収体１０ｃの短手方向の幅（例えば１５ｃｍ）に対する３割のサイズ（例えば４．５ｃｍ）であることが好ましい。
【００３３】
尻尾穴収縮用弾性部材５０（以下、弾性部材５０）は、例えば、糸ゴムなどであり、尻尾穴４０の近傍であって、尻尾穴４０を挟む配置に少なくとも一対設けられている。
具体的に、本実施形態１の弾性部材５０は、本体部１０の短手方向に延在し、その短手方向と交差する方向（前後方向）に揺動する波形状を呈して設けられており、三対の弾性部材５０が、尻尾穴４０を挟む配置に設けられている。
対を成す弾性部材５０は、互いに尻尾穴４０側に向かって本体部１０を収縮させるようにして、尻尾穴４０の開口や隙間を閉じるようになっている。
ここで、本体部１０の短手方向に延在して設けられている弾性部材５０のうち、本体部１０の短手方向の中央側で尻尾穴４０を囲う配置の弾性部材５０が、尻尾穴４０を収縮させて閉じるための機能を有する真の弾性部材５０である。その中央側の真の弾性部材５０の左右に位置する弾性部材５０部分は、糸ゴムを本体部１０（バックシート１０ｂ）に接着して弾性部材５０を配設する製造過程で形成される部分であり、尻尾穴４０の収縮には直接的に関与はしない部分である。そして、この真の弾性部材５０は、吸収体１０ｃと重ならない配置に設けられている。
このように、弾性部材５０は、本体部１０の短手方向に沿ったスリット状の開口を有する尻尾穴４０に対し、本体部１０の短手方向と交差する方向に、その尻尾穴４０の周縁の本体部１０を収縮させるようにして、尻尾穴４０の開口を閉じるようになっているので、尻尾穴４０の開口や、尻尾穴４０に通した尻尾との間に隙間が生じ難くなっている。
【００３４】
特に、三対の弾性部材５０は、尻尾穴４０からそれぞれ異なる距離に設けられており、各弾性部材５０間の距離は、尻尾穴４０から離間するほど狭い間隔に設けられている。
また、三対の弾性部材５０は、尻尾穴４０から離間するものほど太く、最外側の弾性部材５０が最も太い。
また、三対の弾性部材５０は、尻尾穴４０から離間するものほど収縮力が弱く、最外側の弾性部材５０の収縮力が最も弱い。
このように、尻尾穴４０の周縁に設けた三対の弾性部材５０の配置（互いの距離）、太さ、収縮力を、上記のように調整していることによって、尻尾穴４０を閉じるように本体部１０を収縮させる弾性力（テンション）を適正にすることができ、尻尾穴４０に通した尻尾を締め付け過ぎず、好適に尻尾穴４０の開口を尻尾にフィットさせることができる。
【００３５】
次に、紙おむつ１の製造方法における、弾性部材５０の配設方法ついて説明する。
弾性部材５０は、紙おむつ１の本体部１０におけるバックシート１０ｂに配設することが好ましい。
実施形態１の紙おむつ１の場合、例えば、本体部１０における脚周り部１３に相当する両側部が略平行となる向きに対向させて複数のバックシート１０ｂを並べて、搬送装置によって、本体部１０の短手方向に沿う方向に横向きに並列された状態で搬送される複数のバックシート１０ｂに対し、テンションを掛けた糸ゴム（弾性部材５０）を、その搬送方向と交差する方向に揺動させながら、波形状を呈するように糸ゴムをバックシート１０ｂに接着して弾性部材５０を配設することができる。
このように、本体部１０を構成することとなる複数のバックシート１０ｂに、弾性部材５０を連続的に効率よく配設することができるので、紙おむつ１を生産性よく製造することができる。
なお、弾性部材５０をバックシート１０ｂ側に配設することには限定されず、例えば、トップシート１０ａ側に配設してもよく、また、トップシート１０ａとバックシート１０ｂの両方や、トップシート１０ａとバックシート１０ｂの間に配設してもよい。
【００３６】
次に、紙おむつ１の装着方法について説明する。
先ず、尻尾穴４０に尻尾を通して、紙おむつ１の腹側部１１をペットの腹部に当てると共に、紙おむつ１の尻側部１２をペットの尻部に当てる。
次いで、ペットの体と紙おむつ１との間に隙間ができないように、腹側部１１の腹側延出部１１１、１１１に設けられたテープ部２０、２０を、尻側部１２に設けられたターゲット部３０に係止させ、紙おむつ１を装着する。
このように、尻尾穴４０に尻尾を通して、腹側部１１に設けられたテープ部２０、２０を、尻側部１２に設けられたターゲット部３０に係止させるように、ペットに紙おむつ１を装着することで、尻尾穴４０に通した尻尾を締め付け過ぎず、好適に尻尾穴４０の開口を尻尾にフィットさせるように装着できる。
【００３７】
以上のように、本実施形態１の紙おむつ１は、尻尾穴４０を挟む配置に、尻尾穴４０を閉じるように本体部１０を収縮させる弾性部材５０を備えているので、尻尾穴４０に尻尾を通して、紙おむつ１をペットに装着することで、尻尾の太さに応じて尻尾穴４０のサイズ調整などを行うことなく、尻尾穴４０に通した尻尾を締め付け過ぎず、好適に尻尾穴４０の開口を尻尾にフィットさせるように装着することができる。
このように紙おむつ１は、ペットに装着しやすく、様々な尻尾の太さに対応できるペット用紙おむつであるといえる。
【００３８】
（実施形態２）
次に、本発明に係るペット用紙おむつの実施形態２について説明する。なお、実施形態１と同様の構成については、同符号を付して説明を割愛する。
【００３９】
紙おむつ１ａは、図５に示すように、本体部１０と、本体部１０をペットの体に装着するためのテープ部２０、２０と、テープ部２０を係止させるためのターゲット部３０と、を備え、テープ部２０、２０をターゲット部３０に止着することで装着される止着式のペット用紙おむつである。
また、紙おむつ１ａには、ペットの尻尾を通す尻尾穴４１と、尻尾穴４１を閉じるようにおむつ本体１０を収縮させる尻尾穴収縮用の弾性部材５１と、が備えられている。
【００４０】
尻尾穴４１は、本体部１０において長手方向の中央よりもやや後ろ側であって、吸収体１０ｃの後ろ側となる位置に、本体部１０を貫通するように開設されている。
この尻尾穴４１は、紙おむつ１ａ装着時にペットの尻尾を通すためのものである。
本実施形態２の紙おむつ１ａにおける尻尾穴４１は、本体部１０の長手方向（前後方向）に沿ったスリット形状の開口を有している。尻尾穴４１の大きさに特に限定はないが、本実施形態２の尻尾穴４１は、尻尾の出し入れが困難でない程度に十分な大きさに形成されている。
【００４１】
弾性部材５１は、例えば、糸ゴムなどであり、尻尾穴４１の近傍であって、尻尾穴４１を挟む配置に少なくとも一対設けられている。
具体的に、本実施形態２の弾性部材５１は、本体部１０の長手方向に延在し、その長手方向と交差する方向（左右方向）に揺動する波形状を呈して設けられており、三対の弾性部材５１が、尻尾穴４１を挟む配置に設けられている。
対を成す弾性部材５１は、互いに尻尾穴４１側に向かって本体部１０を収縮させるようにして、尻尾穴４１の開口や隙間を閉じるようになっている。
ここで、本体部１０の長手方向に延在して設けられている弾性部材５１のうち、本体部１０の長手方向の中央側で尻尾穴４１を囲う配置の弾性部材５１が、尻尾穴４１を収縮させて閉じるための機能を有する真の弾性部材５１である。その中央側の真の弾性部材５１の前後に位置する弾性部材５１部分は、糸ゴムを本体部１０（バックシート１０ｂ）に接着して弾性部材５１を配設する製造過程で形成される部分であり、尻尾穴４１の収縮には直接的に関与はしない部分である。そして、この真の弾性部材５１は、吸収体１０ｃと重ならない配置に設けられている。なお、真の弾性部材５１の前側に位置し、吸収体１０ｃと重なる配置の弾性部材５１部分は設けないようにするか、テンションを掛けない状態で設けるようにすることが好ましい。
このように、弾性部材５１は、本体部１０の長手方向に沿ったスリット状の開口を有する尻尾穴４１に対し、本体部１０の長手方向と交差する方向に、その尻尾穴４１の周縁の本体部１０を収縮させるようにして、尻尾穴４１の開口を閉じるようになっているので、尻尾穴４１の開口や、尻尾穴４１に通した尻尾との間に隙間が生じ難くなっている。
【００４２】
特に、三対の弾性部材５１は、尻尾穴４１からそれぞれ異なる距離に設けられており、各弾性部材５１間の距離は、尻尾穴４１から離間するほど狭い間隔に設けられている。
また、三対の弾性部材５１は、尻尾穴４１から離間するものほど太く、最外側の弾性部材５１が最も太い。
また、三対の弾性部材５１は、尻尾穴４１から離間するものほど収縮力が弱く、最外側の弾性部材５１の収縮力が最も弱い。
このように、尻尾穴４１の周縁に設けた三対の弾性部材５１の配置（互いの距離）、太さ、収縮力を、上記のように調整していることによって、尻尾穴４１を閉じるように本体部１０を収縮させる弾性力（テンション）を適正にすることができ、尻尾穴４１に通した尻尾を締め付け過ぎず、好適に尻尾穴４１の開口を尻尾にフィットさせることができる。
【００４３】
次に、紙おむつ１ａの製造方法における、弾性部材５１の配設方法ついて説明する。
弾性部材５１は、紙おむつ１ａの本体部１０におけるバックシート１０ｂに配設することが好ましい。
実施形態２の紙おむつ１ａの場合、例えば、本体部１０における前端と後端を対向させるように複数のバックシート１０ｂを長手方向に沿わせて並べて、搬送装置によって、本体部１０の長手方向に沿う方向に縦向きに並べられた状態で搬送される複数のバックシート１０ｂに対し、テンションを掛けた糸ゴム（弾性部材５１）を、その搬送方向と交差する方向に揺動させながら、波形状を呈するように糸ゴムをバックシート１０ｂに接着して切断することを繰り返すことで、弾性部材５１を配設することができる。
このように、本体部１０を構成することとなる複数のバックシート１０ｂに、弾性部材５１を連続的に効率よく配設することができるので、紙おむつ１ａを生産性よく製造することができる。
なお、弾性部材５１をバックシート１０ｂ側に配設することには限定されず、例えば、トップシート１０ａ側に配設してもよく、また、トップシート１０ａとバックシート１０ｂの両方や、トップシート１０ａとバックシート１０ｂの間に配設してもよい。
【００４４】
そして、この紙おむつ１ａの本体部１０の尻尾穴４１に尻尾を通して、腹側部１１に設けられたテープ部２０、２０を、尻側部１２に設けられたターゲット部３０に係止させるように、ペットに紙おむつ１ａを装着することで、尻尾穴４１に通した尻尾を締め付け過ぎず、好適に尻尾穴４１の開口を尻尾にフィットさせるように装着できる。
【００４５】
以上のように、本実施形態２の紙おむつ１ａは、尻尾穴４１を挟む配置に、尻尾穴４１を閉じるように本体部１０を収縮させる弾性部材５１を備えているので、尻尾穴４１に尻尾を通して、紙おむつ１ａをペットに装着することで、尻尾の太さに応じて尻尾穴４１のサイズ調整などを行うことなく、尻尾穴４１に通した尻尾を締め付け過ぎず、好適に尻尾穴４１の開口を尻尾にフィットさせるように装着することができる。
このように紙おむつ１ａは、ペットに装着しやすく、様々な尻尾の太さに対応できるペット用紙おむつであるといえる。
【００４６】
（実施形態３）
次に、本発明に係るペット用紙おむつの実施形態３について説明する。なお、実施形態１，２と同様の構成については、同符号を付して説明を割愛する。
【００４７】
紙おむつ１ｂは、図６に示すように、本体部１０と、本体部１０をペットの体に装着するためのテープ部２０、２０と、テープ部２０を係止させるためのターゲット部３０と、を備え、テープ部２０、２０をターゲット部３０に止着することで装着される止着式のペット用紙おむつである。
また、紙おむつ１ｂには、ペットの尻尾を通す尻尾穴４２と、尻尾穴４２を閉じるようにおむつ本体１０を収縮させる尻尾穴収縮用の弾性部材５２と、が備えられている。
【００４８】
尻尾穴４２は、本体部１０において長手方向の中央よりもやや後ろ側であって、吸収体１０ｃの後ろ側となる位置に、本体部１０を貫通するように開設されている。
この尻尾穴４２は、紙おむつ１ｂ装着時にペットの尻尾を通すためのものである。
本実施形態３の紙おむつ１ｂにおける尻尾穴４２は、十字形状を呈する開口を有している。つまり、この尻尾穴４２は、左右方向に沿ったスリット形状を有する実施形態１の尻尾穴４０と、前後方向に沿ったスリット形状を有する実施形態２の尻尾穴４１とを組み合わせた開口形状を有している。尻尾穴４２の大きさに特に限定はないが、本実施形態３の尻尾穴４２は、尻尾の出し入れが困難でない程度に十分な大きさに形成されている。
【００４９】
弾性部材５２は、例えば、糸ゴムなどであり、尻尾穴４２の近傍であって、尻尾穴４２を挟む配置に少なくとも一対設けられている。
特に、この弾性部材５２は、前後方向に振幅する波形状を有する実施形態１の弾性部材５０と、左右方向に振幅する波形状を有する実施形態２の弾性部材５１とを組み合わせた態様を有している。そして、弾性部材５２は、尻尾穴４２の周縁の本体部１０を収縮させるようにして、尻尾穴４２の開口を閉じるようになっているので、尻尾穴４２の開口や、尻尾穴４２に通した尻尾との間に隙間が生じ難くなっている。
【００５０】
そして、この紙おむつ１ｂの本体部１０の尻尾穴４２に尻尾を通して、腹側部１１に設けられたテープ部２０、２０を、尻側部１２に設けられたターゲット部３０に係止させるように、ペットに紙おむつ１ｂを装着することで、尻尾穴４２に通した尻尾を締め付け過ぎず、好適に尻尾穴４２の開口を尻尾にフィットさせるように装着できる。
【００５１】
以上のように、本実施形態３の紙おむつ１ｂは、尻尾穴４２を挟む配置に、尻尾穴４２を閉じるように本体部１０を収縮させる弾性部材５２を備えているので、尻尾穴４２に尻尾を通して、紙おむつ１ｂをペットに装着することで、尻尾の太さに応じて尻尾穴４２のサイズ調整などを行うことなく、尻尾穴４２に通した尻尾を締め付け過ぎず、好適に尻尾穴４２の開口を尻尾にフィットさせるように装着することができる。
このように紙おむつ１ｂは、ペットに装着しやすく、様々な尻尾の太さに対応できるペット用紙おむつであるといえる。
【００５２】
（実施形態４）
次に、本発明に係るペット用紙おむつの実施形態４について説明する。なお、実施形態１と同様の構成については、同符号を付して説明を割愛する。
【００５３】
紙おむつ１ｃは、図７に示すように、本体部１０と、本体部１０をペットの体に装着するためのテープ部２０、２０と、テープ部２０を係止させるためのターゲット部３０と、を備え、テープ部２０、２０をターゲット部３０に止着することで装着される止着式のペット用紙おむつである。
また、紙おむつ１ｃには、ペットの尻尾を通す尻尾穴４０と、尻尾穴４０を閉じるようにおむつ本体１０を収縮させる尻尾穴収縮用の弾性部材５３と、が備えられている。
【００５４】
弾性部材５３は、例えば、糸ゴムなどであり、尻尾穴４０の近傍であって、尻尾穴４０を挟む配置に設けられている。
具体的に、本実施形態４の弾性部材５３は、本体部１０の長手方向に延在する２本の糸ゴムと、本体部１０の短手方向に延在する２本の糸ゴムとからなり、略「♯」字形状（略「井」字形状）を呈して設けられている。
尻尾穴４０を挟んで対を成す弾性部材５３は、互いに尻尾穴４０側に向かって本体部１０を収縮させるようにして、尻尾穴４０の開口や隙間を閉じるようになっている。
このように、弾性部材５３は、尻尾穴４０の周縁の本体部１０を収縮させるようにして、尻尾穴４０の開口を閉じるようになっているので、尻尾穴４０の開口や、尻尾穴４０に通した尻尾との間に隙間が生じ難くなっている。
【００５５】
そして、この紙おむつ１ｃの本体部１０の尻尾穴４０に尻尾を通して、腹側部１１に設けられたテープ部２０、２０を、尻側部１２に設けられたターゲット部３０に係止させるように、ペットに紙おむつ１ｃを装着することで、尻尾穴４０に通した尻尾を締め付け過ぎず、好適に尻尾穴４０の開口を尻尾にフィットさせるように装着できる。
【００５６】
以上のように、本実施形態４の紙おむつ１ｃは、尻尾穴４０を挟む配置に、尻尾穴４０を閉じるように本体部１０を収縮させる弾性部材５３を備えているので、尻尾穴４０に尻尾を通して、紙おむつ１ｃをペットに装着することで、尻尾の太さに応じて尻尾穴４０のサイズ調整などを行うことなく、尻尾穴４０に通した尻尾を締め付け過ぎず、好適に尻尾穴４０の開口を尻尾にフィットさせるように装着することができる。
このように紙おむつ１ｃは、ペットに装着しやすく、様々な尻尾の太さに対応できるペット用紙おむつであるといえる。
【００５７】
なお、本実施形態４の紙おむつ１ｃにおいて、紙おむつ１ｃの本体部１０に左右方向と前後方向にそれぞれ一対ずつ弾性部材５３を配設したものを例に説明したが、左右方向と前後方向にそれぞれ複数対の弾性部材５３を本体部１０に配設してもよい。
そして、各弾性部材５３間の距離を、尻尾穴４０から離間するほど狭い間隔に設けたり、各弾性部材５３の太さを、尻尾穴４０から離間するものほど太くしたり、各弾性部材５３の収縮力を、尻尾穴４０から離間するものほど弱くしたりしてもよい。こうすることで、尻尾穴４０を閉じるように本体部１０を収縮させる弾性力（テンション）をより一層、適正な強さにすることができ、尻尾穴４０に通した尻尾を締め付け過ぎず、より好適に尻尾穴４０の開口を尻尾にフィットさせることができる。
【００５８】
（実施形態５）
次に、本発明に係るペット用紙おむつの実施形態５について説明する。なお、実施形態１と同様の構成については、同符号を付して説明を割愛する。
【００５９】
紙おむつ１ｄは、図８に示すように、本体部１０と、本体部１０をペットの体に装着するためのテープ部２０、２０と、テープ部２０を係止させるためのターゲット部３０と、を備え、テープ部２０、２０をターゲット部３０に止着することで装着される止着式のペット用紙おむつである。
また、紙おむつ１ｄには、ペットの尻尾を通す尻尾穴４０と、尻尾穴４０を閉じるようにおむつ本体１０を収縮させる尻尾穴収縮用の弾性部材５４と、が備えられている。
【００６０】
弾性部材５４は、例えば、輪ゴムなどであり、尻尾穴４０の近傍であって、尻尾穴４０の周囲を囲う配置に設けられている。
具体的に、本実施形態５の弾性部材５４は、尻尾穴４０の周囲を囲う環形状を有しており、その弾性部材５４は、尻尾穴４０側に向かって本体部１０を収縮させるようにして、尻尾穴４０の開口や隙間を閉じるようになっている。
このように、弾性部材５４は、尻尾穴４０の周縁の本体部１０を収縮させるようにして、尻尾穴４０の開口を閉じるようになっているので、尻尾穴４０の開口や、尻尾穴４０に通した尻尾との間に隙間が生じ難くなっている。
【００６１】
そして、この紙おむつ１ｄの本体部１０の尻尾穴４０に尻尾を通して、腹側部１１に設けられたテープ部２０、２０を、尻側部１２に設けられたターゲット部３０に係止させるように、ペットに紙おむつ１ｄを装着することで、尻尾穴４０に通した尻尾を締め付け過ぎず、好適に尻尾穴４０の開口を尻尾にフィットさせるように装着できる。
【００６２】
以上のように、本実施形態５の紙おむつ１ｄは、尻尾穴４０を囲う配置に、尻尾穴４０を閉じるように本体部１０を収縮させる環形状の弾性部材５４を備えているので、尻尾穴４０に尻尾を通して、紙おむつ１ｄをペットに装着することで、尻尾の太さに応じて尻尾穴４０のサイズ調整などを行うことなく、尻尾穴４０に通した尻尾を締め付け過ぎず、好適に尻尾穴４０の開口を尻尾にフィットさせるように装着することができる。
このように紙おむつ１ｄは、ペットに装着しやすく、様々な尻尾の太さに対応できるペット用紙おむつであるといえる。
【００６３】
なお、本実施形態５の紙おむつ１ｄにおいて、紙おむつ１ｄの本体部１０に環形状の弾性部材５４を１つ配設したものを例に説明したが、径が異なる複数の環状弾性部材５４を本体部１０に配設してもよい。
そして、各弾性部材５４間の距離を、尻尾穴４０から離間するほど狭い間隔に設けたり、各弾性部材５４の太さを、尻尾穴４０から離間するものほど太くしたり、各弾性部材５４の収縮力を、尻尾穴４０から離間するものほど弱くしたりしてもよい。こうすることで、尻尾穴４０を閉じるように本体部１０を収縮させる弾性力（テンション）をより一層、適正な強さにすることができ、尻尾穴４０に通した尻尾を締め付け過ぎず、より好適に尻尾穴４０の開口を尻尾にフィットさせることができる。
【００６４】
（実施形態６）
次に、本発明に係るペット用紙おむつの実施形態６について説明する。なお、実施形態１と同様の構成については、同符号を付して説明を割愛する。
【００６５】
紙おむつ１ｅは、図９に示すように、本体部１０と、本体部１０をペットの体に装着するためのテープ部２０、２０と、テープ部２０を係止させるためのターゲット部３０と、を備え、テープ部２０、２０をターゲット部３０に止着することで装着される止着式のペット用紙おむつである。
また、紙おむつ１ｅには、ペットの尻尾を通す尻尾穴４０と、尻尾穴４０を閉じるようにおむつ本体１０を収縮させる尻尾穴収縮用の弾性部材５０と、が備えられている。
【００６６】
特に、この紙おむつ１ｅは、腹側部１１から尻側部１２に亘るギャザーシート１０ｄ、１０ｄと、そのギャザーシート１０ｄ、１０ｄにおいて、腹側部１１から尻側部１２に延在して設けられている弾性部材１５ｅとで形成されている一対の立体ギャザー６０、６０を備えている。この一対の立体ギャザー６０、６０は、実施形態１の紙おむつ１における立体ギャザーを前後方向により長く延在させたものである。
立体ギャザー６０、６０は、尻尾穴４０の周縁に設けられた弾性部材５０を、本体部１０の短手方向に挟む配置に設けられた一対の立体形状部として機能する。
この立体ギャザー６０、６０は、腹側部１１から尻側部１２に延在して設けられている弾性部材１５ｅの収縮力によって、本体部１０を長手方向により強く収縮させることができ、トップシート１０ａを内側にして本体部１０をカールさせるようにして、本体部１０をペットの体にフィットさせ易くする機能を有している。
【００６７】
以上のように、本実施形態６の紙おむつ１ｅは、実施形態１の紙おむつ１と同様に、尻尾穴４０に尻尾を通して、紙おむつ１ｅをペットに装着することで、尻尾の太さに応じて尻尾穴４０のサイズ調整などを行うことなく、尻尾穴４０に通した尻尾を締め付け過ぎず、好適に尻尾穴４０の開口を尻尾にフィットさせるように装着することができる。
このように紙おむつ１ｅは、ペットに装着しやすく、様々な尻尾の太さに対応できるペット用紙おむつであるといえる。
【００６８】
また、本実施形態６では、実施形態１の紙おむつ１に対し、一対の立体ギャザー６０、６０を配設した例について説明したが、実施形態２〜５の紙おむつ１ａ〜１ｄにも、一対の立体ギャザー６０、６０を配設してもよい。
【００６９】
（実施形態７）
次に、本発明に係るペット用紙おむつの実施形態７について説明する。なお、実施形態１，２と同様の構成については、同符号を付して説明を割愛する。
【００７０】
紙おむつ１ｆは、図１０に示すように、本体部１０と、本体部１０をペットの体に装着するためのテープ部２０、２０と、テープ部２０を係止させるためのターゲット部３０と、を備え、テープ部２０、２０をターゲット部３０に止着することで装着される止着式のペット用紙おむつである。
また、紙おむつ１ｆには、ペットの尻尾を通す尻尾穴４１と、尻尾穴４１を閉じるようにおむつ本体１０を収縮させる尻尾穴収縮用の弾性部材５１と、が備えられている。
【００７１】
特に、この紙おむつ１ｆは、尻尾穴４１の周縁に設けられた弾性部材５１を、本体部１０の長手方向に挟む配置に設けられた一対の立体形状部としての一対の立体ギャザー７０、７０を備えている。
この立体ギャザー７０、７０は、尻尾穴４１と弾性部材５１を挟む配置であって、その一方の立体ギャザー７０が尻尾穴４１と吸収体１０ｃの間に設けられていることによって、糞尿などの体液成分をせき止めて、体液成分が尻尾穴４１から漏れ難くする機能を有している。
【００７２】
以上のように、本実施形態７の紙おむつ１ｆは、実施形態２の紙おむつ１ａと同様に、尻尾穴４１に尻尾を通して、紙おむつ１ｆをペットに装着することで、尻尾の太さに応じて尻尾穴４１のサイズ調整などを行うことなく、尻尾穴４１に通した尻尾を締め付け過ぎず、好適に尻尾穴４１の開口を尻尾にフィットさせるように装着することができる。
このように紙おむつ１ｆは、ペットに装着しやすく、様々な尻尾の太さに対応できるペット用紙おむつであるといえる。
【００７３】
また、本実施形態７では、実施形態２の紙おむつ１ａに対し、一対の立体ギャザー７０、７０を配設した例について説明したが、実施形態１、３〜５の紙おむつ１、１ｂ〜１ｄにも、一対の立体ギャザー７０、７０を配設してもよい。
【００７４】
なお、以上の実施の形態においては、尻尾穴として、左右方向や前後方向に延在するスリット形状を呈するものや、略十字形状を呈するものを例に挙げて説明したが、本発明はこれに限定されるものではなく、略Ｕ字形状や略Ｗ字形状を呈するものや、円形や三角形や四角形の開口を有する尻尾穴であってもよい。
【００７５】
また、以上の実施の形態においては、立体形状部として立体ギャザーを例に挙げて説明したが、本発明はこれに限定されるものではなく、凹凸を有するエンボス加工部などを立体形状部に適用してもよい。
【００７６】
また、その他、具体的な細部構造等についても適宜に変更可能であることは勿論である。
【符号の説明】
【００７７】
１      紙おむつ（ペット用紙おむつ）
１ａ〜１ｆ  紙おむつ（ペット用紙おむつ）
１０    本体部（おむつ本体）
１１    腹側部
１２    尻側部
１３    脚周り部
２０    テープ部
３０    ターゲット部
４０    尻尾穴
４１    尻尾穴
４２    尻尾穴
５０    弾性部材
５１    弾性部材
５２    弾性部材
５３    弾性部材
５４    弾性部材
６０    立体ギャザー（立体形状部）
７０    立体ギャザー（立体形状部）
【図１】
0005832794.tif 000002
【図２】
0005832794.tif 000003
【図３】
0005832794.tif 000004
【図４】
0005832794.tif 000005
【図７】
0005832794.tif 000006
【図８】
0005832794.tif 000007
【図９】
0005832794.tif 000008
【図５】
0005832794.tif 000009
【図６】
0005832794.tif 000010
【図１０】
0005832794.tif 000011